(57)【要約】【課題】  簡便な構造で、極端な曲げに弱い光ケーブルに好適に適用できる光ケーブル自動巻き取り器および自動巻き取り器を備えた光ケーブルを提供する。【解決手段】  光ケーブル１が備える自動巻き取り器１０は、主ばね５ａと主ばね５ａと巻き方向が逆である副ばね５ｂからなるＳ字状のぜんまいばね５を回転駆動源とし、光ケーブル１の巻き方向を変換させる変換ガイド６ａが形成された回転ドラム６と、主ばね５ａの渦巻き中央端部に連結される第１の割溝６ｉを有し、回転ドラム６のぜんまいばね５側の底面に一端が固定される第１の軸柱６ｇと、第１の軸柱６ｇの他端が固定される回転歯車７と、副ばね５ｂの中央端部に連結される第２の軸柱４ｆおよび回転歯車７を収容する凹部４ｄが設けられ、凹部４ｄの副ばね５ｂ側の内壁に回転歯車７と噛み合う係止突起４ｅが形成されているケース４と、ケース上蓋３とを備える。【選択図】    図１
2006340519.tif 000002
【特許請求の範囲】
【請求項１】
主ばねと前記主ばねと巻き方向が逆である副ばねからなるＳ字状のぜんまいばねにより回転駆動される光ケーブル自動巻き取り器であって、
光ケーブルの巻き方向を変換させる変換ガイドが形成された回転盤と、
前記主ばねの渦巻き中央端部に連結される連結部を有し、前記回転盤の前記ぜんまいばね側の底面に一端が固定される第１の軸柱と、
前記第１の軸柱の他端が固定される回転歯車と、
前記副ばねの中央端部に連結される第２の軸柱および前記回転歯車を収容する凹部が設けられ、前記凹部の前記副ばね側の内壁に前記回転歯車と噛み合う係止突起が形成されているケースとを備えることを特徴とする光ケーブル自動巻き取り器。
【請求項２】
前記凹部は、前記回転歯車が前記副ばねの方向に移動可能な幅を有する形状であり、前記係止突起は、前記回転歯車が一方向に回転しながら前記係止突起の方向へ移動したときに前記回転歯車の歯と噛み合って回転を停止させる形状であり、かつ、前記回転歯車に前記一方向とは逆に回転する力が働いたときには前記回転歯車の歯との噛み合いが外れ易い形状であることを特徴とする請求項１に記載の光ケーブル自動巻き取り器。
【請求項３】
前記回転歯車は、前記回転盤に巻かれた光ケーブルの端部に引張り力が働いたときには前記凹部の前記係止突起がない側に移動し、前記引張り力が働かないときには前記係止突起がある側に移動することを特徴とする請求項１又は請求項２に記載の光ケーブル自動巻き取り器。
【請求項４】
前記変換ガイドは、光ケーブルが接する曲部を有しており、前記曲部の曲率半径は巻き取られる光ケーブルの許容曲げ半径以上であることを特徴とする請求項１乃至請求項３のいずれか１項に記載の光ケーブル自動巻き取り器。
【請求項５】
前記回転盤は、光ケーブルがその外周面に沿って巻かれる回転盤枠と前記変換ガイドが設けられたアングルベースとを有し、前記回転盤枠は光ケーブルの出入口となる第１の開口部と第２の開口部および前記回転盤枠の外周面に沿って光ケーブルを上下に巻き分けるケーブル仕切板が形成されており、かつ、前記アングルベースは前記第１の開口部側の光ケーブルを前記ケーブル仕切板の上側へ、前記第２の開口部側の光ケーブルを前記ケーブル仕切板の下側へ導くことが可能な角度にて、前記第１の開口部から前記第２の開口部へ向かって傾斜が設けられていることを特徴とする請求項１乃至請求項４のいずれか１項に記載の光ケーブル自動巻き取り器。
【請求項６】
前記ケースは、外周側面を構成するケース枠を有しており、前記ケース枠には光ケーブルの出入口となる第３の開口部と第４の開口部が形成されていることを特徴とする請求項１乃至請求項５のいずれか１項に記載の光ケーブル自動巻き取り器。
【請求項７】
前記ケースは、前記出入口を覆う移動式のカバーが設けられていることを特徴とする請求項１乃至請求項６のいずれか１項に記載の光ケーブル自動巻き取り器。
【請求項８】
前記ケースは、前記第３の開口部から前記ケーブル仕切板の上側へ前記光ケーブルをガイドする第１の出入口ガイドと、前記第４の開口部から前記ケーブル仕切板の下側へ前記光ケーブルをガイドする第２の出入口ガイドとを有することを特徴とする請求項１乃至請求項７のいずれか１項に記載の光ケーブル自動巻き取り器。
【請求項９】
請求項１乃至請求項８のいずれか１項に記載の光ケーブル自動巻き取り器を備えたことを特徴とする自動巻き取り器を備えた光ケーブル。
【請求項１０】
前記光ケーブルは、その断面形状が平型であることを特徴とする請求項９に記載の自動巻き取り器を備えた光ケーブル。
【請求項１１】
主ばねと前記主ばねと巻き方向が逆である副ばねからなるＳ字状のぜんまいばねにより回転駆動されるケーブル自動巻き取り器であって、
ケーブルの巻き方向を変換させる変換ガイドが形成された回転盤と、
前記主ばねの渦巻き中央端部に連結される連結部を有し、前記回転盤の前記ぜんまいばね側の底面に一端が固定される第１の軸柱と、
前記第１の軸柱の他端が固定される回転歯車と、
前記副ばねの中央端部に連結される第２の軸柱および前記回転歯車を収容する凹部が設けられ、前記凹部の前記副ばね側の内壁に前記回転歯車と噛み合う係止突起が形成されているケースとを備えることを特徴とするケーブル自動巻き取り器。
【発明の詳細な説明】
【技術分野】
【０００１】
本発明は、光ケーブル自動巻き取り器および自動巻き取り器を備えた光ケーブルに関し、特に、極端な曲げに弱い光ケーブルに好適に適用できる簡便な構造の光ケーブル自動巻き取り器および自動巻き取り器を備えた光ケーブルに関する。
【背景技術】
【０００２】
ＦＴＴＨ（Fiber To The Home）やＦＴＴＢ（Fiber To The Building）が進むにつれて、光送受信機がラップトップやノートブック等のポータブル式コンピューターに、もしくはＰＣカードに搭載されることが予想される。光コンセントもしくは中継アダプタから光送受信機までを中継線として光ケーブルで接続するが、光ケーブルは固定長で製造されるため、使用時の余長部、および持ち運び時には簡易ドラムに巻いたり、束取りしたりすることになる。このように中継線は嵩張り、煩雑かつ整理し難くなる。
【０００３】
従来、ケーブルを巻き取る装置（機構）としては、以下のものが提案されている（例えば、特許文献１乃至特許文献３参照）。
【０００４】
特許文献１には、電話線の巻き取りおよび引き出しを行うことのできる収容装置が開示されている。
【０００５】
特許文献２には、ＵＳＢケーブルの巻き取りおよび引き出しを行うことのできるケーブル巻き取り器が開示されている。
【０００６】
特許文献３には、光ケーブルを含む種々のケーブルの巻き取りおよび引き出しを行うことのできるケーブル巻き取り機構が開示されている。
【特許文献１】特開平８−１７２７１８号公報
【特許文献２】実用新案登録第３０９７５６７号公報
【特許文献２】特開平９−８４２４４号公報
【発明の開示】
【発明が解決しようとする課題】
【０００７】
しかし、特許文献１記載の収容装置は、手動巻きのため、収納時の作業に手間がかかり、ある程度の長さを要する光コネクタには不向きである。また、リール（回転ドラム）へ収納される側のジャック（コネクタ）を収容する際にケーブル曲げ半径がきついため、ある程度の許容曲げ半径を必要とする光ケーブルには適用できない。
【０００８】
また、特許文献２記載のケーブル巻き取り器は、渦形バネの周りにケーブルを収納する構造であり、ケーブルの曲りが光ファイバでは破断する（又は伝送損失が大きくなる）ほどのきつい曲げ半径で固定されている構造となっているため、光ケーブル用には適用できない。また、ケーブルを引き出すほどケーブルに対する張力が増していき、光ケーブルには過酷である。さらに、コネクタ部を収納する機構はないため、保管時や持ち運び時にコネクタに損傷を与える恐れがある。
【０００９】
また、特許文献３記載のケーブル巻き取り機構は、構造が大変複雑であり、サイズが大きく、質量も重いため、持ち運びには不便である。
【００１０】
従って、本発明の目的は、簡便な構造で、極端な曲げに弱い光ケーブルに好適に適用できる光ケーブル自動巻き取り器および自動巻き取り器を備えた光ケーブルを提供することにある。
【課題を解決するための手段】
【００１１】
本発明は、上記目的を達成するため、主ばねと前記主ばねと巻き方向が逆である副ばねからなるＳ字状のぜんまいばねにより回転駆動される光ケーブル自動巻き取り器であって、光ケーブルの巻き方向を変換させる変換ガイドが形成された回転盤と、前記主ばねの渦巻き中央端部に連結される連結部を有し、前記回転盤の前記ぜんまいばね側の底面に一端が固定される第１の軸柱と、前記第１の軸柱の他端が固定される回転歯車と、前記副ばねの中央端部に連結される第２の軸柱および前記回転歯車を収容する凹部が設けられ、前記凹部の前記副ばね側の内壁に前記回転歯車と噛み合う係止突起が形成されているケースとを備えることを特徴とする光ケーブル自動巻き取り器を提供する。
【００１２】
また、本発明は、上記目的を達成するため、上記の本発明の光ケーブル自動巻き取り器を備えた光ケーブルを提供する。
【発明の効果】
【００１３】
本発明によると、極端な曲げに弱い光ケーブルに好適に適用できる簡便な構造の光ケーブル自動巻き取り器および自動巻き取り器を備えた光ケーブルを得ることができる。
【発明を実施するための最良の形態】
【００１４】
＜本発明の実施の形態＞
図１は、本発明の実施の形態に係る自動巻き取り器を備えた光ケーブルの概略構成図である。
【００１５】
〔自動巻き取り器を備えた光ケーブルの構成〕
本実施の形態において、自動巻き取り器を備えた光ケーブルは、光ケーブル１と、光ケーブル１の両端に取り付けられた光コネクタ２ａ，２ｂと、光ケーブル１を自動で巻き取る機構を有する光ケーブル自動巻き取り器１０とから構成されている。
【００１６】
光ケーブル１は、例えば、光ファイバ心線を補強繊維や鋼線を縦添えして補強し、ＰＥ（ポリエチレン）やＵＰ（ポリエステル）シースなどで被覆して構成されている。光ケーブル１の断面形状は、丸型や平型など、特に限定されるものではないが、本実施の形態では、特に平型の光ケーブル１に好適に適用できる。
【００１７】
図２は、本発明の実施の形態における平型の光ケーブルの具体例を示す断面図である。図２では、外部断面形状のみを示し、内部構成については記載を省略してある。
【００１８】
また、本実施の形態においては、許容曲げ半径の小さい光ケーブル１はもちろん、許容曲げ半径の大きい光ケーブル１も好適に用いることができる。特に、光ケーブル１の許容曲げ半径が３０ｍｍ以上の場合であっても好適に適用できる。
【００１９】
光コネクタ２ａ，２ｂは、光ケーブル１の端部にそれぞれ取り付けられ、光コネクタ２ａは、例えば、ポータブルコンピュータなどに内蔵または外付けされた光送受信機に接続され、他方の光コネクタ２ｂは、例えば、宅内やオフィスなどの壁に設置された光コンセントに接続される。光コネクタ２ａ，２ｂの形状・大きさは、特に限定されるものではないが、光ケーブル自動巻き取り器１０に収納できる大きさであることが望ましい。
【００２０】
（光ケーブル自動巻き取り器の構成）
光ケーブル自動巻き取り器１０は、光ケーブル自動巻き取り器１０の外形を成すケース上蓋３およびケース４と、光ケーブル巻き取り機構の中心的役割を担うぜんまいばね５、回転ドラム６、および回転歯車７とから構成されている。
【００２１】
ケース上蓋３およびケース４は、ＡＢＳ（アクリロニトリル・ブタジエン・スチレン）樹脂やＰＰ（ポリプロピレン）、または軽量で耐久性がある不飽和ポリエステル樹脂等の合成樹脂を好適な材料として形成される。ケース上蓋３の形状は、図１に示すような円形が望ましいが、これに限られず、四角形や楕円形等でもよく、ケース４も同様に、図１に示すような円筒状に限られず、直方体や楕円体等も適用可能である。
【００２２】
ケース上蓋３は、嵌合などにより取り外し可能にケース４に装着されるものであっても、融着などによりケース４に一体化されるものであってもよい。
【００２３】
ケース４は、図１に示されるように、外周側面を構成するケース枠４ｉを有しており、ケース枠４ｉには光ケーブルの出入口となる開口部４ｂが２箇所に設けられている。
【００２４】
２箇所の開口部４ｂ（４ｂ３，４ｂ４）（図６参照）は、ケース４の直径方向に対向する位置に形成されていることが望ましい。第３の開口部４ｂ３付近には、第３の開口部４ｂ３から図１に示す回転ドラム６のケーブル仕切板６ｅの上側へ光ケーブル１をガイドする第１の出入口ガイド４ａ１が形成され、第４の開口部４ｂ４付近には、第４の開口部４ｂ４からケーブル仕切板６ｅの下側へ光ケーブル１をガイドする第２の出入口ガイド４ａ２が形成されている。
【００２５】
図３は、本発明の実施の形態における出入口ガイド部位の概略構成図である。（ａ）は、ケース上蓋を外した状態であり、（ｂ）は、ケース上蓋を嵌めた状態を示した図である。
【００２６】
開口部４ｂ付近に形成された出入口ガイド４ａはそれぞれ、光ケーブル１を挟むようにした１対のガイド片（曲板）から構成され、光ケーブル１とはそれぞれガイド片の曲部にて接している。ガイド片の光ケーブル１と接触している部分は、その曲部の曲率半径が光ケーブル１の許容曲げ半径以上となるように形成されている。出入口ガイド４ａの高さは、ケーブル仕切板６ｅの上下へ巻き分けられる程度の高さがあればよい。
【００２７】
図３では、出入口ガイド４ａはケース４に形成したものを示したが、ケース上蓋３に形成してもよく、１対のガイド片のどちらかのみをケース上蓋３に形成してもよい。また、出入口ガイド４ａに回転コロを設けて、光ケーブル１の出入をより行いやすくしてもよい。
【００２８】
また、ケース４の開口部４ｂにはそれぞれ、移動式のカバーであるスライドカバー４ｃが設けられており、開口部４ｂの開閉が可能とされている。先述した出入口ガイド４ａは、スライドカバー４ｃが設けられている側とは逆側の開口部４ｂ端部に形成されていることが望ましい。
【００２９】
図４は、本発明の実施の形態における光ケーブルを巻き取った状態の斜視図である。（ａ）は、スライドカバーを開けた状態であり、（ｂ）は、スライドカバーを閉めた状態を示した図である。
【００３０】
本実施の形態においては、図４（ａ）に示されるように、ケース４には、光ケーブル１の端部に取り付けられた光コネクタ２ａを収納できる光コネクタ収納部４ｊが設けられている。
【００３１】
なお、図４では、スライドカバー４ｃを示したが、開口部４ｂを覆うことができる移動式のカバーであれば、スライド式のカバーに限らず、ヒンジ式のカバー等であってもよい。
【００３２】
また、ケース４は、図１に示されるように、その底面の略中央部に回転歯車７が収容される凹部４ｄを有している。凹部４ｄは、回転歯車７が副ばね５ｂの方向に移動可能な幅を有する形状であり、望ましくは、凹部４ｄは、主ばね５ａから副ばね５ｂの方向に長い形状、特に、長円形状、楕円形状、又は長方形状である。この移動可能な幅は、歯車直径（歯部を含む）の１．５倍〜２．５倍程度の幅であることが望ましい。なお、本実施の形態における凹部４ｄには、貫通孔である場合も含む。
【００３３】
凹部４ｄには、ぜんまいばね５の副ばね５ｂ寄りの内壁に、回転歯車７と噛み合う係止突起４ｅが複数個形成されている。回転歯車７の歯７ａの数によっても異なるが、歯７ａの数が８個程度であれば、係止突起４ｅの数は３〜４個であることが望ましい。係止突起４ｅは、回転歯車７が一方向に回転しながら係止突起４ｅの方向へ移動したときに回転歯車７の歯７ａと噛み合って回転を停止させる形状であり、かつ、回転歯車７に上記一方向とは逆に回転する力が働いたときには回転歯車７の歯７ａとの噛み合いが外れ易い形状である。
【００３４】
また、ケース４には、その底面のケース枠４ｉ寄りに第２の軸柱４ｆが形成されている。第２の軸柱４ｆは、ぜんまいばね５の副ばね５ｂの渦巻きの中央に配置され、その渦巻き中央端部に連結される連結部としての第２の割溝４ｇを有する。さらに、ケース４には、ぜんまいばね５がその内側に収容されるぜんまいばねカバー４ｈが設けられている。
【００３５】
ぜんまいばね５は、図１に示されるように、ケース４と回転ドラム６との間に配置され、２軸（第２の軸柱４ｆと、第１の軸柱６ｇ（図７参照））を使用し、ぜんまいばねをそれぞれの軸に巻き付けて、主ばね５ａおよび主ばね５ａと巻き方向が逆である副ばね５ｂがＳ字状に形成される。ぜんまいばね５は、回転ドラム６の回転駆動源であり、トルクが初めから終わりまでほぼ一定で、大きい回転数が得られる定トルクぜんまいばねである。
【００３６】
図５は、本発明の実施の形態における回転ドラムの斜視図である。また、図６は、本発明の実施の形態における回転ドラムに光ケーブルを巻き取った状態の上面図である。
【００３７】
回転ドラム（回転盤）６は、ケース上蓋３やケース４と同様の材料にて形成され、光ケーブル１の巻き方向を変換させる変換ガイド６ａおよび光ケーブル１がその外周面に沿って巻き取られる回転ドラム枠６ｂを有している。回転ドラム枠６ｂは、ばね仕切り板６ｆ上に形成されている。
【００３８】
回転ドラム枠６ｂには、光ケーブル１の出入口となる２つの開口部６ｃ（６ｃ１，６ｃ２）が設けられており、第１の開口部６ｃ１から入った光ケーブル１が巻き方向を変換ガイド６ａにより逆方向に変換されて第２の開口部６ｃ２より出てくる。また、回転ドラム枠６ｂには、その外周面に沿って光ケーブル１を上下に巻き分け可能なケーブル仕切板６ｅが形成されている。
【００３９】
変換ガイド６ａは、１組（２つ）の曲板状の変換ガイド片（６ａ１，６ａ２）から構成され、１組の変換ガイド片（６ａ１，６ａ２）は、回転ドラム６の略中央部で直径方向に第１の開口部６ｃ１から第２の開口部６ｃ２に向かって並べて、かつ、光ケーブル１を通すことができるよう間隔を空けて設けられる。
【００４０】
１組の変換ガイド片（６ａ１，６ａ２）は、光ケーブル１とはそれぞれその曲部にて接しており、該曲部の曲率半径が巻き取られる光ケーブル１の許容曲げ半径以上となるように形成されている。
【００４１】
変換ガイド６ａが設けられた面は傾斜がついたアングルベース６ｄとなっている。アングルベース６ｄは、第１の開口部６ｃ１側の光ケーブル１をケーブル仕切板６ｅの上側へ、第２の開口部６ｃ２側の光ケーブル１をケーブル仕切板６ｅの下側へ導くことが可能な角度にて、第１の開口部６ｃ１から第２の開口部６ｃ２へ向かって傾斜が設けられている。
【００４２】
光ケーブル１の長さ方向の略中央部が第１の開口部６ｃ１から第２の開口部６ｃ２へ通されて、変換ガイド６ａにより巻き方向が逆方向とされ、アングルベース６ｄによりケーブル仕切板６ｅの上下に分けられ、回転ドラム枠６ｂに光ケーブル１の第１の端側と第２の端側とは互いに重なることなく巻かれる。
【００４３】
図７は、本発明の実施の形態における回転ドラム（ぜんまいばね側の面）の斜視図である。
【００４４】
回転ドラム６は、ばね仕切板６ｆのぜんまいばね側の面（回転ドラム枠６ｂが形成された面と反対側の面）の中央部に第１の軸柱６ｇが形成されている。第１の軸柱６ｇは、ぜんまいばね５の主ばね５ａの渦巻きの中央に配置され、その渦巻き中央端部に連結される連結部としての第１の割溝６ｉを有する。また、第１の軸柱６ｇには、突起部６ｈが設けられており、回転歯車７に設けられた凹部７ｂ内の突起部６ｈに対応する溝（図示せず）に嵌合して固定される。
【００４５】
図７では、第１の軸柱６ｇの一端を回転ドラム６のばね仕切板６ｆに一体形成させて、もう一端を回転歯車７に嵌合させるものを示したが、第１の軸柱６ｇの一端を回転歯車７に一体形成させて、もう一端を回転ドラム６のばね仕切板６ｆに嵌合させる形態としてもよい。また、第１の軸柱６ｇの両端ともに融着などによりばね仕切板６ｆおよび回転歯車７に一体形成させてもよく、ともに嵌合させる形態としてもよい。ぜんまいばね５の回転駆動力を第１の軸柱６ｇを介して回転ドラム６および回転歯車７に伝達できるよう、また、光ケーブル１の端部を引っ張る人力を第１の軸柱６ｇを介してぜんまいばね５および回転歯車７に伝達できるよう固定されていれば、特に第１の軸柱６ｇの固定方法は問わない。
【００４６】
図８は、本実施の形態におけるぜんまいばねと回転歯車７の動作状態を示す図である。（ａ）は、光ケーブルの端部に引張り力が働いたときの動作状態を示したものであり、（ｂ）は、光ケーブルの端部の引張り力を解除したときの動作状態を示したものである。
【００４７】
回転歯車７は、回転ドラム６に巻かれた光ケーブル１の第一の端部又は第二の端部に引張り力が働いたときには凹部４ｄの係止突起４ｅがない側に移動し、引張り力が働かないとき（引張り力を解除したとき）には係止突起４ｅがある側に移動する。
【００４８】
より具体的には、以下の通りである。すなわち、光ケーブル１が収納されている時と所定長さが引き出され係止されている時は、ぜんまいばね５の力により回転歯車７はケース４の凹部４ｄの係止突起４ｅがある側へ引っ張られ、ケース４の係止突起４ｅと回転歯車７の歯７ａが噛み合い、回転歯車７の回転が抑止される。光ケーブル１が引き出される時は、回転歯車７は凹部４ｄの係止突起４ｅがない側へ移動し、ぜんまいばね５が巻かれ、回転ドラム６と回転ドラム６に巻かれた光ケーブル１は時計回りに回転する。光ケーブル１が巻取られる時も、回転歯車７は凹部４ｄの係止突起４ｅがない側へ移動し、ぜんまいばね５が巻きほぐされながら、回転ドラム６と回転ドラム６に巻かれた光ケーブル１は反時計回りに回転する。
【００４９】
〔自動巻き取り器を備えた光ケーブルの使用方法〕
図９は、本発明の実施の形態に係る自動巻き取り器を備えた光ケーブルの斜視図である。スライドカバー４ｃを開け、光コネクタ２ａ，２ｂを取り出した状態（光ケーブル１を巻き取った状態）を示す。
【００５０】
(１)ケーブルの引き出し方法
スライドカバー４ｃをスライドさせて開け、両端の光コネクタ２ａ，２ｂを取り出す。光コネクタ２ａ，２ｂを持ってゆっくりと引っ張る。すると、ぜんまいばね５の中央端部に連結された第１の軸柱６ｇが係止突起４ｅがない側へ移動し、第１の軸柱６ｇが回転可能となり、所定の長さに引き出すことができる。また、所定の長さに引き出し、光コネクタ２ａ，２ｂを引っ張るのを止める（光ケーブル１の張力を解放する）と、第１の軸柱６ｇが係止突起４ｅがある側へ移動し、第１の軸柱６ｇの回転が抑止され、リールが回転できなくなり光ケーブル１が所定長で固定される。さらにケーブルを引き出したいときは、再度、光コネクタ２ａ，２ｂを持って引っ張ることで、同じ機能が働く。
【００５１】
(２)ケーブルの巻き取り方法
光コネクタ２ａ，２ｂを持って引っ張りぎみにすると(引張り力を与えると)、第１の軸柱６ｇが係止突起４ｅがない側へ移動し、第１の軸柱６ｇが回転可能となり、光ケーブル１が巻取られる力が働くので、ばねの巻取り力にまかせて光ケーブル１を巻取らせる(光コネクタを持ったまま)。光コネクタがケース２ａ，２ｂに収納されたらスライドカバー４ｃを閉じる。
【００５２】
[本発明の実施の形態の効果]
以上説明した本発明の実施の形態によれば、次に示す効果が得られる。
【００５３】
（１）極端な曲げに弱い光ケーブルを破断させることなく、適時、必要長さを引出して使用することができ、且つ相当な長さの光ケーブルを自動で巻き取ることが可能となる。
（２）光ケーブル巻き取り時にからまることなく、整列して巻くことが可能となる。
（３）光ケーブルのみならず光コネクタも収納できるため、未使用時（持ち運び時）における光コネクタや光ケーブルへの外傷や汚れを防ぐことが可能となる。
（４）各部品間の空間配置が簡単であり、小型化、軽量化が可能となる。平形の光ケーブルを用いることでより小型化が可能となる。
【００５４】
[本発明の別の実施の形態]
上記の本発明の実施の形態において、光ケーブルに換えて、その他のケーブル、特に、曲げに弱いケーブル（許容曲げ半径が３０ｍｍ以上のケーブル）に適用することができる。これにより、上記の本発明の実施の形態の効果と同様の効果を得ることができる。
【図面の簡単な説明】
【００５５】
【図１】本発明の実施の形態に係る自動巻き取り器を備えた光ケーブルの概略構成図である。
【図２】本発明の実施の形態における平型の光ケーブルの具体例を示す断面図である。
【図３】本発明の実施の形態における出入口ガイド部位の概略構成図である。（ａ）は、ケース上蓋を外した状態、（ｂ）は、ケース上蓋を嵌めた状態を示した図である。
【図４】本発明の実施の形態における光ケーブルを巻き取った状態の斜視図である。（ａ）は、スライドカバーを開けた状態、（ｂ）は、スライドカバーを閉めた状態を示した図である。
【図５】本発明の実施の形態における回転ドラムの斜視図である。
【図６】本発明の実施の形態における回転ドラムに光ケーブルを巻き取った状態の上面図である。
【図７】本発明の実施の形態における回転ドラム（ぜんまいばね側の面）の斜視図である。
【図８】本実施の形態におけるぜんまいばねと回転歯車７の動作状態を示す図である。（ａ）は、光ケーブルの端部に引張り力が働いたときの動作状態を示したものであり、（ｂ）は、光ケーブルの端部の引張り力を解除したときの動作状態を示したものである。
【図９】本発明の実施の形態に係る自動巻き取り器を備えた光ケーブルの斜視図である。
【符号の説明】
【００５６】
１：光ケーブル
２ａ，２ｂ：光コネクタ
３：ケース上蓋
４：ケース
４ａ：出入口ガイド、４ａ１：第１の出入口ガイド、４ａ２：第２の出入口ガイド、４ｂ：開口部、４ｂ３：第３の開口部、４ｂ４：第４の開口部、４ｃ：スライドカバー、４ｄ：凹部、４ｅ：係止突起、４ｆ：第２の軸柱、４ｇ：第２の割溝、４ｈ：ぜんまいばねカバー、４ｉ：ケース枠、４ｊ：光コネクタ収納部
５：ぜんまいばね
５ａ：主ばね、５ｂ：副ばね
６：回転ドラム（回転盤）
６ａ：変換ガイド、６ｂ：回転ドラム枠（回転盤枠）、６ｃ：開口部、６ｃ１：第１の開口部、６ｃ２：第２の開口部、６ｄ：アングルベース、６ｅ：ケーブル仕切板、６ｆ：ばね仕切板、６ｇ：第１の軸柱、６ｈ：突起部、６ｉ：第１の割溝
７：回転歯車
７ａ：歯、７ｂ：凹部
１０：光ケーブル自動巻き取り器
【図１】
2006340519.tif 000003
【図２】
2006340519.tif 000004
【図３】
2006340519.tif 000005
【図４】
2006340519.tif 000006
【図５】
2006340519.tif 000007
【図６】
2006340519.tif 000008
【図７】
2006340519.tif 000009
【図８】
2006340519.tif 000010
【図９】
2006340519.tif 000011